(57)【要約】【課題】高いセキュリティを確保しつつデータの配信を行なうことのできるルーティングプログラムを提供する。【解決手段】ＭＦＰから画像データを受信したサーバでは、ルーティングプログラムを実行することによって、画像データの転送先が予め登録されているか否かを判断し、さらに、当該送信者からの画像データを転送先に転送するために、音声によるセキュリティチェックが必要であるか否かを判断する（Ｓ３０５）。そして、音声によるセキュリティチェックが必要である場合に、画像ファイルと共に受信した音声ファイルを声紋ファイルにデジタル化し（Ｓ３０９）、予め登録されている声紋ファイルと比較する。そして、それらが合致した場合にのみ、受信した画像データを指定された転送先に転送する（Ｓ３１３）。【選択図】        図８
2004236069.tif 000002
【特許請求の範囲】
【請求項１】
データ送信装置から受信した送信データを所定の受信者に対して転送するための処理をコンピュータに実行させるプログラムであって、
データ送信装置より、送信データと、前記送信データの送信者が所定の受信者に対してデータを送信するための識別情報とを受信する受信ステップと、
前記データ送信装置から受信した識別情報と、予め送信者と対応付けて登録されている識別情報とを比較する比較ステップと、
前記比較結果が合致する場合に、前記データ送信装置から受信した送信データを前記受信者に対して送信する送信ステップとを実行させる、ルーティングプログラム。
【請求項２】
前記識別情報は、送信者と受信者との関係と対応付けて登録されていることを特徴とする、請求項１に記載のルーティングプログラム。
【請求項３】
前記識別情報は音声による識別情報である、請求項１または２に記載のルーティングプログラム。
【請求項４】
原稿画像を読取る画像読取手段と、
前記原稿画像の送信者が所定の受信者に対して画像データを送信するための識別情報の入力を受付ける入力手段と、
前記読取った画像データと前記受付けた識別情報とを対応付けて出力する出力手段とを備える、画像処理装置。
【請求項５】
前記識別情報は音声による識別情報であって、
前記入力手段で受付けた前記音声による識別情報を、音声ファイルに変換する変換手段をさらに備え、
前記出力手段は、前記読取った画像データと、前記変換した音声ファイルとを出力する、請求項４に記載の画像処理装置。
【発明の詳細な説明】
【０００１】
【発明の属する技術分野】
この発明はルーティングプログラムおよび画像処理装置に関し、特に、高いセキュリティを確保しつつデータの配信を行なうことのできるルーティングプログラムおよび画像処理装置に関する。
【０００２】
【従来の技術】
ネットワークの発達に伴なって、ＭＦＰ（Ｍｕｌｔｉ  Ｆｕｎｃｔｉｏｎ  Ｐｅｒｉｐｈｅｒａｌ）でスキャンされた画像データなどの各種のデータを、サーバでルータプログラムを実行することによって、サーバを介して他の受信装置に送信することがなされている。さらに、昨今では、エンタプライズ形データベースに配信することもなされている。
【０００３】
このような基幹のデータベースにデータを配信する場合には、特に、そのセキュリティの確立が重要である。
【０００４】
このような場合のセキュリティを確立する方法として、たとえば特許文献１に開示されているように、従来より、ファクシミリ装置から送信を行なう際に、送信者を識別する情報（ユーザＩＤ）と、数字や記号などの当該送信者に固有のパスワードとを設定し、当該ユーザに固有の所定のパスワードが入力された場合にのみ、当該送信者からのデータを指定された送信先に配信する方法が提案されている。
【０００５】
さらに、特許文献２では、データ出力者を識別する情報として音声を用いて装置にアクセスする際に本人であることの確認を行なうことで、セキュリティを向上させることのできる音声認識データ出力方式を開示している。
【０００６】
【特許文献１】
特開平５−７５８１８号公報
【０００７】
【特許文献２】
特開平１１−５２９８２号公報
【０００８】
【発明が解決しようとする課題】
しかしながら、特許文献１に開示されているような送信者に固有のパスワードを設定してデータの配信を行なう方法では、当該パスワードが解読される可能性もあり、セキュリティを維持することが難しいという問題があった。
【０００９】
さらに、特許文献２に開示されているような音声などの固有情報を用いて本人確認を行なう場合であっても、当該装置を用いてデータ出力を行なうユーザの本人確認のみ行ない、データ出力先の正当性については確立されないという問題があった。
【００１０】
本発明はこのような問題に鑑みてなされたものであって、高いセキュリティを確保しつつデータ配信を行なうことのできるルーティングプログラムおよび画像処理装置を提供することを目的としている。
【００１１】
【課題を解決するための手段】
上記目的を達成するために、本発明のある局面に従うと、ルーティングプログラムは、データ送信装置から受信した送信データを所定の受信者に対して転送するための処理をコンピュータに実行させるプログラムであって、データ送信装置より、送信データと、送信データの送信者が所定の受信者に対してデータを送信するための識別情報とを受信する受信ステップと、データ送信装置から受信した識別情報と、予め送信者と対応付けて登録されている識別情報とを比較する比較ステップと、比較結果が合致する場合に、データ送信装置から受信した送信データを受信者に対して送信する送信ステップとを実行させる。
【００１２】
また、上述の識別情報は、送信者と受信者との関係と対応付けて登録されていることが望ましい。
【００１３】
さらに、上述の識別情報は音声による識別情報であることが望ましい。
本発明の他の局面に従うと、画像処理装置は、原稿画像を読取る画像読取手段と、原稿画像の送信者が所定の受信者に対して画像データを送信するための識別情報の入力を受付ける入力手段と、読取った画像データと受付けた識別情報とを対応付けて出力する出力手段とを備える。
【００１４】
また、上述の識別情報は音声による識別情報であって、画像処理装置は、入力手段で受付けた音声による識別情報を、音声ファイルに変換する変換手段をさらに備え、出力手段は、読取った画像データと、変換した音声ファイルとを出力することが望ましい。
【００１５】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１６】
図１は、本実施の形態におけるデータ転送システムの構成の具体例を示す図である。図１を参照して、本データ転送システムは、データ送信装置であるＭＦＰ（Ｍｕｌｔｉ  Ｆｕｎｃｔｉｏｎ  Ｐｅｒｉｐｈｅｒａｌ）１と、データ転送装置であるサーバ２と、データ受信装置であるクライアント装置３ａ〜３ｄ（クライアント装置３ａ〜３ｄを代表させてクライアント装置３という）とを含み、それらは互いに通信を行なう。ＭＦＰ１とサーバ２とクライアント装置３との通信は、ＬＡＮ（Ｌｏｃａｌ  Ａｒｅａ  Ｎｅｔｗｏｒｋ）等の専用回線を介した通信であってもよいし、インターネット等の公衆電話回線を介した通信であってもよいし、無線通信であってもよい。
【００１７】
データ転送システムに含まれるＭＦＰ１は、原稿をスキャンして電子データとして取込み、ユーザが設定した形式のファイルに変換する。そして、ＭＦＰ１は、そのファイルを、ユーザが設定、または選択した相手先に、ＦＴＰ（Ｆｉｌｅ  Ｔｒａｎｓｆｅｒ  Ｐｒｏｔｏｃｏｌ）や電子メールを用いて送信する。
【００１８】
図２に、本データ転送システムに含まれるＭＦＰ１の構成の具体例を、ブロック図で示す。図２を参照して、ＭＦＰ１は、操作パネルなどから構成される操作部１２よりユーザの指示を受付け、ＣＰＵ（Ｃｅｎｔｒａｌ  Ｐｒｏｃｅｓｓｉｎｇ  Ｕｎｉｔ）などからなる制御部１１によって制御される。
【００１９】
制御部１１で実行されるプログラムは、ＲＯＭ（Ｒｅａｄ  Ｏｎｌｙ  Ｍｅｍｏｒｙ）１３などに記憶される。そして、ＲＡＭ（Ｒａｎｄｏｍ  Ａｃｃｅｓｓ  Ｍｅｍｏｒｙ）１５は、制御部１１でプログラムが実行される際の一時的な作業領域となる。
【００２０】
また、ＭＦＰ１は、スキャナなどからなる画像読取手段であり、入力手段である画像入力部１６より原稿画像を読込み、画像形成部１７において画像データを生成する。そして、画像形成部１７に含まれるプリンタなどで、生成された画像データが印刷される。
【００２１】
さらに、ＭＦＰ１は、マイクロフォンなどからなる入力手段である音声入力部１８より音声入力を受付ける。そして、制御部１１がＨＤＤ（Ｈａｒｄ  Ｄｉｓｋ  Ｄｒｉｖｅ）などからなる記憶装置１９に記憶されるプログラムを実行することで機能する変換手段である音声ファイル生成部１９１において、音声が音声ファイルに変換される。なお、記憶装置１９は、ＲＯＭ１３に含まれるものであってもよい。
【００２２】
通信Ｉ／Ｆ（インタフェース）１４は、本データ転送システムのネットワークに接続するためのインタフェースであって、モデムなどを含む。ＭＦＰ１は、出力手段である通信Ｉ／Ｆ１４を介して、ネットワークを経由してサーバ２やクライアント装置３に対して画像データを送信する。また、ＭＦＰ１は、通信Ｉ／Ｆ１４を介してサーバ２やクライアント装置３と画像データ以外の情報のやり取りも行なう。
【００２３】
さらに、図３は、上述の操作部１２を構成する操作パネルの具体例を示す図である。図３を参照して、操作部１２を構成する操作パネルは、各種情報を表示したり、コピーやファックス機能の設定や機能の登録を行なったりするためのタッチパネル１２０１と、コピー枚数や相手先の電話番号などの数値入力を行なうためのテンキー１２０２と、各種設定を行なうためのユーティリティモード画面に切替えるためのユーティリティキー１２０３と、設定されている各モードを一覧表示させるための設定確認キー１２０４と、ダイヤル時に内線から外線への発信や、情報サービスを受ける場合の待ち時間に利用するポーズキー１２０５と、コピーモードに切替えるためのコピーキー１２０６と、ファックスモードやメールモードに切替えるためのファックス／メールキー１２０７と、スキャンモードに切替えるためのスキャンキー１２０８と、暗証番号を入力する場合に用いるＩＤキー１２０９と、通常時に割込みモードに変更し、割込み時に割込みモードを解除するために用いる割込みキー１２１０と、設定モードを全て初期モードにリセットするパネルリセットキー１２１１と、原稿の読込み動作やプリント動作やファックスあるいはメールの送信を開始させるためのスタートキー１２１２と、原稿の読込み動作やプリント動作やファックスあるいはメールの送信を停止させるためのストップキー１２１３と、コピー枚数の設定を１に戻すなど、テンキー１２０２の入力、登録など各種数値を初期化するクリアキー１２１４とを備える。
【００２４】
本実施の形態において、ＭＦＰ１の操作部１２を構成する操作パネルは、画像データを送信する相手先を選択するキーを表示する画面と、音声入力を要求する画面とを備えることを特徴とする。これらの画面は、上述のタッチパネル１２０１に含まれてもよいし、図３には示されない他の画面であってもよい。
【００２５】
次に、本データ転送システムに含まれるサーバ２は、ＭＦＰ１から画像データを受信し、送信先であるクライアント装置３に対して転送する。
【００２６】
図４に、本データ転送システムに含まれるサーバ２の構成の具体例を、ブロック図で示す。図４を参照して、サーバ２は、キーボードやマウスなどから構成される操作部２５より操作指示を受付け、ＣＰＵなどからなる制御部２１でＲＯＭ２２に記憶されるプログラムが実行されることによって制御される。
【００２７】
本データ転送システムにおいて、サーバ２が、ＭＦＰ１から受付けた画像データをクライアント装置３に転送するために、制御部２１は、ＨＤＤなどからなる記憶装置２７に記憶されるルータプログラムを実行する。そして、ＲＡＭ２３は、制御部２１でルータプログラムが実行される際の一時的な作業領域となる。なお、記憶装置２７は、ＲＯＭ２２に含まれるものであってもよい。
【００２８】
また、サーバ２は、受信手段であり、入力手段である通信Ｉ／Ｆ２４を介してＭＦＰ１から送信された画像データや音声ファイルなどを受付ける。また、音声入力部２６で、音声ファイルの入力を受付けてもよい。そして、制御部２１でルータプログラムが実行されることによって機能する転送先判定部２７１において、画像データの転送先が判定される。また、制御部２１でルータプログラムが実行されることによって機能する音声ファイル変換部２７２において、音声ファイルが声紋ファイルに変換され、制御部２１でルータプログラムが実行されることによって機能する比較手段である声紋判定部２７３において、予め記憶装置２７に登録してある登録データである声紋ファイルと比較され判定される。そして、声紋判定部２７３における判定結果に基づいて、制御手段である制御部２１が、送信手段でもある通信Ｉ／Ｆ２４よりＭＦＰ１から受付けた画像データが転送先判定部２７１で判定された転送先であるクライアント装置３に転送されることを許可する。
【００２９】
なお、サーバ２は一般的なコンピュータを用いて構成することができ、図４に示されるハードウェア構成は一般的なコンピュータのハードウェア構成である。そのため、言うまでもなく、サーバ２のハードウェア構成は図４に示される構成に限定されない。
【００３０】
本データ転送システムに含まれるクライアント装置３もまた、一般的なコンピュータを用いて構成される装置であり、その構成についてここでの詳細な説明は行なわない。
【００３１】
次に、本データ転送システムにおける処理について説明する。
図５は、画像データを転送する相手先に関する情報を、クライアント装置３を用いて、サーバ２に登録する処理を示すフローチャートである。図５のフローチャートに示されるサーバ２における処理は、サーバ２の制御部２１が、記憶装置２７に記憶されるルータプログラムを読出して実行することによって実現される。そして、サーバ２においてルータプログラムが実行される際に、クライアント装置３に対して所定の情報の要求が送信され、サーバ２は、それに応じて送信される所定の情報をクライアント装置３から受付ける。
【００３２】
あるいは、クライアント装置３において、図示されない制御部が記憶部に予め格納されている登録用のプログラムを読出して実行してもよいし、転送相手先の登録を行なうに先立って、サーバ２から登録用のプログラムをダウンロードして記憶部に一時的に格納して実行してもよい。
【００３３】
図５を参照して、始めに、サーバ２は、通信Ｉ／Ｆ２４を介して、クライアント装置３から転送先のアドレスの情報を受付ける（Ｓ１０１）。
【００３４】
次に、当該クライアント装置３のユーザから転送先のアドレスに対して画像データを転送する際に音声ファイルによるセキュリティが必要な場合には（Ｓ１０３でＹＥＳ）、さらに、サーバ２は、通信Ｉ／Ｆ２４を介して、クライアント装置３から音声ファイルを受付ける（Ｓ１０５）。ここでは、当該クライアント装置３が音声の入力を受付ける音声入力部と、入力された音声から音声ファイルを生成する音声ファイル生成部とを備える場合、当該クライアント装置３のユーザが、任意のフレーズを音声入力部から入力し、音声ファイル生成部においてそのフレーズから音声ファイルが生成される。そして、生成された音声ファイルがクライアント装置３からサーバ２に対して送信される。この任意のフレーズは、本発明において限定されるものではなく、ユーザが独自に発するフレーズであってよい。さらに、そのフレーズは、ユーザが発する声に限定されるものでもなく、笛の音や口笛、指を鳴らす音、一定の音階の電子音、キーの押し下げ音等の音であっても構わない。
【００３５】
次に、サーバ２は、音声ファイル変換部２７２において、受付けた音声ファイルを、各音ごとに周波数分解して声紋ファイルに変換する（Ｓ１０７）。ここでの変換方法は、本発明において限定されるものではなく、一般的な変換方法であって構わない。なお、本実施の形態においては、音声ファイルを声紋ファイルに変換するものとしているが、音声データの変換は声紋データに限定されるものではなく、他の形式のデータへの変換であっても構わない。
【００３６】
ステップＳ１０７で変換された声紋ファイルは、当該クライアント装置３のユーザから上述の転送先に対して画像データの送信を許可する識別情報として用いられ、サーバ２は、当該クライアント装置３のユーザからの画像データの転送先として、転送先のアドレスの情報と、声紋ファイルとを対応付けて記憶装置２７に登録する（Ｓ１０９）。つまり、ステップＳ１０９では、画像データの送信者であるユーザと画像データの受信者である転送先のアドレスとの組合せと対にして、声紋ファイルが記憶装置２７に登録され、識別情報である声紋ファイルは、送信者と受信者との関係において固有に設定される。
【００３７】
以上で、サーバ２での画像データの転送相手先の登録処理を終了する。上の説明においては、サーバ２が通信Ｉ／Ｆ２４を介して、クライアント装置３から、転送先のアドレス情報と識別情報である声紋情報に変換される音声ファイルとからなる登録に関する情報を受付けて、その情報に基づいて転送相手先の登録処理を実行する場合について説明しているが、サーバ２が図示されない操作部や音声入力部を備える場合には、当該操作部や音声入力部から入力される情報に基づいて転送相手先の登録処理を実行することができる。また、サーバ２は、ＭＦＰ１から登録に関する情報を受付けて、その情報に基づいて転送相手先の登録処理を実行することもできる。
【００３８】
図６に、サーバ２の記憶装置２７に記憶される転送相手先の登録データの具体例を示す。図６を参照して、クライアント装置３を用いて画像データの転送相手先の登録処理を行なったユーザ、すなわち画像データの送信者Ａについては、受信者Ｂ，Ｃ，Ｅが、転送相手先として、アドレス情報と識別情報である声紋ファイル「ａａａ．ｍｉｄ」とが記憶装置２７に登録されていることが示されている。また、受信者Ｄに対しては、登録がなされていないことが示されている。言い換えると、送信者Ａと受信者Ｂ，Ｃ，Ｅとの組合せと対にして、識別情報である声紋ファイル「ａａａ．ｍｉｄ」が記憶装置２７に登録されている。
【００３９】
また、図６を参照して、送信者Ｂの登録に示されるように、転送先である受信者ごとに異なる識別情報である声紋ファイルを登録することもできる。
【００４０】
また、図６を参照して、送信者Ｃの登録に示されるように、転送先である受信者Ａ，Ｂと受信者Ｄ，Ｅとをグループ分けし、グループごとに異なる識別情報である声紋ファイルを登録することもできる。
【００４１】
また、図６を参照して、送信者Ｄの受信者Ｂ，Ｅに対する登録（「Ｎｏ  Ｃｈｅｃｋ」）に示されるように、識別情報である声紋ファイルを登録せず、セキュリティチェックを不要とした転送先としてアドレス情報のみを登録することもできる。
【００４２】
次に、図７に、ＭＦＰ１から画像データを送信する処理を示す。図７のフローチャートに示される処理は、ＭＦＰ１の制御部１１が、ＲＯＭ１３あるいは記憶装置１９に記憶されるプログラムを読出して実行することによって実現される。
【００４３】
図７を参照して、始めに、ＭＦＰ１は、ユーザから、画像データを送信する宛先の選択を受付ける（Ｓ２０１）。
【００４４】
次に、制御部１１は、ステップＳ２０１で受付けた宛先より、１次宛先がサーバ２であるか否かを判断する（Ｓ２０３）。そして、１次宛先がサーバ２ではなく、サーバ２を介さずに直接クライアント装置３等に画像データを送信する場合には（Ｓ２０３でＮＯ）、通信Ｉ／Ｆ１４より、選択されている宛先に対して画像データを送信する（Ｓ２０５）。
【００４５】
一方、画像データの転送先の１次宛先がサーバ２である場合（Ｓ２０３でＹＥＳ）、すなわち、サーバ２を経由して画像データを所定のクライアント装置３に送信する場合には、制御部１１は、当該ユーザがクライアント装置３に画像データを送信する際に、音声によるセキュリティチェックが必要であるか否かをさらに判定する（Ｓ２０７）。ここでは、制御部１１は、通信Ｉ／Ｆ１４を介してサーバ２の記憶装置２７にアクセスし、図６に具体例が示されるような登録データを参照することによって、音声によるセキュリティチェックが必要であるか否かを判定する。
【００４６】
ステップＳ２０７での判定の結果、音声によるセキュリティチェックが不要である場合（Ｓ２０７でＮＯ）、すなわち、図６の送信者Ｄの受信者Ｂ，Ｅに対する登録に示されるように、音声によるセキュリティチェックを必要とせずに画像ファイルの送信を許可する場合には、通信Ｉ／Ｆ１４より、選択されている宛先に対して画像データを送信する（Ｓ２０５）。
【００４７】
一方、ステップＳ２０７での判定の結果、音声によるセキュリティチェックが必要である場合には（Ｓ２０７でＹＥＳ）、制御部１１は、操作部１２を構成するタッチパネル１２０１などに、音声入力の要求を表示させる（Ｓ２０９）。
【００４８】
画像データの送信を行なおうとしているユーザは、ステップＳ２０９での表示を確認して、識別情報入力ステップで、当該ユーザが所定のクライアント装置３に対して送信するために予めサーバ２に登録してある識別情報である声紋ファイルと同じ音声を、ＭＦＰ１の音声入力部１８より入力する。音声入力部１８からユーザの音声入力を受付けると、音声ファイル生成部１９は、入力された音声を音声ファイルに変換する（Ｓ２１１）。なお、ここでの変換方法は本発明において限定されるものではなく、一般的な変換方法であってよい。
【００４９】
その後、ユーザが、当該ＭＦＰ１に原稿をセットして操作部１２を構成する操作パネルのスタートキー１２１２を押下することで、入力ステップで、画像入力部１６は当該原稿をスキャンして画像を読込む。そして、入力された画像を、指定された形式の電子ファイルに変換する。あるいは、ＲＯＭ１３あるいは記憶装置１９に記憶されている画像データを読出して、指定された形式の電子ファイルに変換する。そして、通信Ｉ／Ｆ１４より、当該電子ファイルとステップＳ２１１で変換された音声ファイルとを対応付けてサーバ２に対して送信する（Ｓ２１３）。なお、ステップＳ２０５あるいはステップＳ２１３での画像データの送信方法は、ＦＴＰや電子メール等の通信方法を利用することもできる。この場合、ステップＳ２０１で、宛先と共に通信方法も入力するようにすることで、送信の度に、ユーザに所望の通信方法を選択させることができる。また、登録データとして、宛先に対応付けて送信方法を予め登録しておいてもよい。なお、この場合には、宛先を選択すると、自動的にその宛先に対応付けられて設定されている通信方法が選択される。
【００５０】
以上で、ＭＦＰ１から画像データを送信する処理を終了する。
次に、ＭＦＰ１から画像データを受取ったサーバ２での処理について、図８に示す。図８のフローチャートに示される処理は、サーバ２の制御部２１が、記憶装置２７に記憶されるルータプログラムを読出して実行することによって実現される。
【００５１】
図８を参照して、サーバ２は、受信ステップであるステップＳ３００でＭＦＰ１から画像データを受信すると、始めに、転送先判定部２７１において、ステップＳ３００で受信した画像データの転送先を判定する（Ｓ３０１）。ここでは、具体的には、転送先判定部２７１が、ＭＦＰ１から受信した画像データを含むデータから転送先の情報を抽出することで転送先を判定する。
【００５２】
次に、制御部２１は、ステップＳ３０１で転送先判定部２７１において判定された転送先が、当該ユーザから画像データを転送する相手先として登録されているか否かを、記憶装置２７に記憶されている登録データを参照して判定する（Ｓ３０３）。
【００５３】
ステップＳ３０３での判定の結果、ステップＳ３０１で転送先判定部２７１において判定された転送先が当該ユーザから画像データを転送する相手先として登録されていない場合には（Ｓ３０３でＮＯ）、サーバ２は、ＭＦＰ１から受信した画像データを指定された転送先に転送を実行せずに処理を終了する（Ｓ３１５）。
【００５４】
一方、ステップＳ３０３での判定の結果、ステップＳ３０１で転送先判定部２７１において判定された転送先が当該ユーザから画像データを転送する相手先として登録されている場合には（Ｓ３０３でＹＥＳ）、さらに、制御部２１は、画像データの転送を行なうのに音声によるセキュリティチェックが必要であるか否かを、記憶装置２７に記憶されている登録データを参照して判定する（Ｓ３０５）。すなわち、記憶装置２７に、当該ユーザから転送先判定部２７１において判定された転送先に対して画像データの送信を許可する識別情報として声紋ファイルが登録されているか否かを判定する。
【００５５】
ステップＳ３０５での判定の結果、ステップＳ３０１で転送先判定部２７１において判定された転送先であるクライアント装置３に対して、送信者である当該ユーザから、音声によるセキュリティチェックを必要とせずに画像データの転送が許可されている場合には（Ｓ３０５でＮＯ）、指定された転送先である登録されている転送先のアドレスに対して、ＭＦＰ１から受信した画像データを転送する（Ｓ３１３）。これは、図６に示される具体例においては、送信者Ｄからの画像データを受信者Ｂに対して転送する場合が該当する。
【００５６】
一方、ステップＳ３０５での判定の結果、ステップＳ３０１で転送先判定部２７１において判定された転送先であるクライアント装置３に対して、送信者である当該ユーザからの画像データを転送する際に、音声によるセキュリティチェックが必要である場合には（Ｓ３０５でＹＥＳ）、さらに、制御部２１は、ＭＦＰ１から画像データと共に音声ファイルが送信されているか否かを判定する（Ｓ３０７）。
【００５７】
ステップＳ３０７での判定の結果、ＭＦＰ１から画像データと共に音声ファイルが送信されていない場合には（Ｓ３０７でＮＯ）、転送先判定部２７１において判定された転送先に対して転送不能であるものとして、サーバ２は、ＭＦＰ１から受信した画像データを指定された転送先に転送を実行せずに処理を終了する（Ｓ３１５）。なお、この場合、画像データの転送を実行せず、ステップＳ３１５は、そのログを記憶装置２７に格納する格納ステップであることが好ましい。
【００５８】
一方、ステップＳ３０７での判定の結果、ＭＦＰ１から画像データと共に音声ファイルが送信されている場合には（Ｓ３０７でＹＥＳ）、受信した音声ファイルを、音声ファイル変換部２７２において声紋ファイルに変換する（Ｓ３０９）。
【００５９】
次に、比較ステップであるステップＳ３１１で、声紋判定部２７３は、ステップＳ３０９で変換された声紋ファイルと、記憶装置２７に登録されている識別情報である声紋ファイルとを比較して、一致するか否かを判定する。なお、ここでの声紋ファイルの比較の方法については、本発明において限定されるものではなく、一般的な比較方法であってよい。
【００６０】
ステップＳ３１１での判定の結果、ステップＳ３０９で変換された声紋ファイルと、記憶装置２７に登録されている声紋ファイルとが一致していないと判定された場合には（Ｓ３１１でＮＯ）、転送先判定部２７１において判定された転送先に対して転送不能であるものとして、サーバ２は、ＭＦＰ１から受信した画像データを指定された転送先に転送を実行せずに処理を終了する（Ｓ３１５）。なお、この場合、画像データの転送を実行せず、そのログを記憶装置２７に格納することが好ましい。
【００６１】
一方、ステップＳ３１１での判定の結果、ステップＳ３０９で変換された声紋ファイルと、記憶装置２７に登録されている声紋ファイルとが一致していると判定された場合には（Ｓ３１１でＹＥＳ）、送信ステップであるＳ３１３で、指定された転送先である登録されている転送先のアドレスに対して、ＭＦＰ１から受信した画像データのみを転送する。
【００６２】
以上でサーバ２における転送処理を終了する。
なお、図６の送信者Ｂあるいは送信者Ｃの登録に示されるように、転送先である受信者あるいは所定の受信者のグループに固有の声紋ファイルが識別情報として登録されている場合には、図７のステップＳ２０１において、当該声紋ファイルに変換される音声を送信宛先の選択として入力することもできる。この場合、画像データと共に音声ファイルを受信したサーバ２では、ルータプログラムを実行することによって、当該音声ファイルを声紋ファイルに変換して登録されている識別情報である声紋ファイルとの一致を判定すると共に、当該声紋ファイルに対応させて登録されている転送先のアドレス情報を読出して、受信した画像データを読出した転送先に対して転送することができる。
【００６３】
本データ転送システムにおいて、上述の処理が実行されることによって、予め登録された送信者から予め登録された受信者に対してのみ、ＭＦＰ１からサーバ２を介して画像データ転送される。このことによって、権限のない第３者によって画像データが送信されることを防止することができる。また、予め登録されていない受信者に対して画像データが送信されることを防止することもできる。このように、本データ転送システムにおいては、画像データの転送に関するセキュリティを高めつつデータの配信を行なうことができる。
【００６４】
さらに、本データ転送システムにおいては、当該送信者から当該受信者に対して画像データを送信できるか否かの判断を、サーバ２において行ない、ＭＦＰ１では、入力された音声を音声ファイルに変換してサーバ２に対して送信する処理のみを行なう。そのため、ＭＦＰ１における処理を簡単にすることができ、ＭＦＰ１の構成を簡略化することができる。
【００６５】
さらに、本データ転送システムにおいては、識別情報として音声ファイルをデジタル化した声紋ファイルを用いて予め登録されている送信者から受信者への画像データの送信であるか否かを判断している。このように声紋による判別を行なうことで、高いセキュリティを確保することができる。
【００６６】
なお、上のように、本データ転送システムでは、識別情報として音声ファイルをデジタル化した声紋ファイルを用いるものとして説明したが、識別情報は音声によるものに限定されず、その他、指紋や掌紋やアイリスや静脈形などのユーザに固有の情報をデジタル化したデータであっても構わない。そのような場合であっても、データ転送システムにおいては、画像データの送信者の指紋や掌紋などを、上述の音声と同様に扱ってデジタル化し、予め登録されている識別情報と比較して判別することで画像データの送信の許可あるいは転送不能の判断を行なう。
【００６７】
さらに、本実施の形態においては、データ送信装置であるＭＦＰ１を用いて画像データを読取り、本データ転送システムにおいて画像データを転送するものとしたが、転送するデータは画像に限定されず、その他の文書データ等のデータであっても同様である。その場合、データ送信装置はＭＦＰに限定されず、音声入力手段と音声ファイル生成手段とを備えるその他の装置であっても構わない。また、データ転送システムにおいて、データ送信装置であるＭＦＰ１とデータ転送装置であるサーバ２とは、図１に示されるように必ずしも各々独立した装置でなくてもよく、一体となってデータ送信装置として構成されていてもよい。この場合、データ送信装置にルータプログラムが格納され、当該ルータプログラムが実行されることによって上述の処理が実行されて、データ送信装置からデータ受信装置であるクライアント装置３に対するデータの送信の許可あるいは送信不能が判断される。
【００６８】
なお、上述のデータ転送システムにおけるデータ転送方法であるルータプログラムを提供することもできる。このようなプログラムは、コンピュータに付属するフレキシブルディスク、ＣＤ−ＲＯＭ（Ｃｏｍｐａｃｔ  Ｄｉｓｃ−Ｒｅａｄ  Ｏｎｌｙ  Ｍｅｍｏｒｙ）、ＲＯＭ（Ｒｅａｄ  Ｏｎｌｙ  Ｍｅｍｏｒｙ）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６９】
提供されるプログラム製品は、ハードディスクなどのプログラム格納部にインストールされて実行される。なお、プログラム製品は、プログラム自体と、プログラムが記録された記録媒体とを含む。
【００７０】
さらに、上述した本発明のある局面に従えば、発明の他の構成例として、以下のものが挙げられる。
【００７１】
（１）データ送信装置から受信した送信データを所定の受信者に対して転送するための処理をコンピュータに実行させるプログラムであって、データ送信装置より、送信データと、送信データの送信者が所定の受信者に対してデータを送信するための識別情報とを受信する受信ステップと、データ送信装置から受信した識別情報と、予め送信者と受信者との関係と対応付けて登録されている識別情報とを比較する比較ステップと、比較結果が合致しない場合に、データ送信装置から所定の受信者に対して送信するための送信データを受信したことを示す記録を記憶手段に格納する格納ステップとを実行させる、ルーティングプログラム。
【００７２】
（２）データ送信装置より、送信データと、送信データの送信者が所定の受信者に対してデータを送信するための識別情報とを受信する受信手段と、データ送信装置から受信した識別情報と、予め送信者と受信者との関係と対応付けて登録されている識別情報とを比較する比較手段と、比較結果が合致する場合に、データ送信装置から受信した送信データを受信者に対して送信する送信手段とを備える、データ転送装置。
【００７３】
（３）データ送信装置より、送信データと、送信データの送信者が所定の受信者に対してデータを送信するための識別情報とを受信する受信手段と、データ送信装置から受信した識別情報と、予め送信者と受信者との関係と対応付けて登録されている識別情報とを比較する比較手段と、比較結果が合致しない場合に、データ送信装置から所定の受信者に対して送信するための送信データを受信したことを示す記録を記憶する記憶手段とを備える、データ転送装置。
【００７４】
（４）原稿画像を読取る画像読取り手段と、原稿画像の送信者が所定の受信者に対して画像データを送信するための識別情報の入力を受付ける入力手段と、読取った画像データと受付けた識別情報とを出力する出力手段とを備える画像処理装置であって、画像データを前述の所定の受信者に対して送信するために識別情報が必要な場合に、識別情報の入力を要求する要求手段をさらに備える、画像処理装置。
【００７５】
（５）画像データを入力する入力手段と、画像データを送信する送信者を識別するための識別情報を入力する識別情報入力手段と、入力された識別情報と、予め送信者と送信先との関係に対応付けて登録されている識別情報とを比較する比較手段と、前述の比較の結果、識別情報が一致すると判断された場合に画像データを指定された宛先へ送信することを許可する制御手段とを備える、画像処理装置。
【００７６】
（６）データ送信装置とデータ転送装置とデータ受信装置とを含むデータ転送システムであって、データ送信装置は、送信データと送信データの送信者が所定の受信者に対してデータを送信するための識別情報とをデータ転送装置に対して出力し、データ転送装置は、データ送信装置から受信した識別情報と、予め送信者と受信者との関係と対応付けて登録されている識別情報とを比較して、比較結果が合致する場合に、データ送信装置から受信した送信データをデータ受信装置に対して転送する、データ転送システム。
【００７７】
（７）画像データを所定の宛先に送信する処理をコンピュータに実行させるプログラムであって、画像データを入力する入力ステップと、画像データを送信する送信者を識別するための識別情報を入力する識別情報入力ステップと、入力された識別情報と、予め送信者と送信先との関係に対応付けて登録されている識別情報とを比較する比較ステップと、前述の比較の結果、識別情報が一致すると判断された場合に画像データを指定された宛先へ送信することを許可する許可ステップとを実行させる、データ処理プログラム。
【００７８】
（８）前述の入力ステップと識別情報入力ステップとは、ネットワークを介した通信による入力である、（７）に記載のデータ処理プログラム。
【００７９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】本実施の形態におけるデータ転送システムの構成の具体例を示す図である。
【図２】本データ転送システムに含まれるＭＦＰ１の構成の具体例を示すブロック図である。
【図３】ＭＦＰ１の操作部１２を構成する操作パネルの具体例を示す図である。
【図４】本データ転送システムに含まれるサーバ２の構成の具体例を示すブロック図である。
【図５】画像データを転送する相手先に関する情報をサーバ２に登録する処理を示すフローチャートである。
【図６】サーバ２の記憶装置２７に記憶される転送相手先の登録データの具体例を示す図である。
【図７】ＭＦＰ１から画像データを送信する処理を示すフローチャートである。
【図８】サーバ２における転送処理を示すフローチャートである。
【符号の説明】
１  ＭＦＰ、２  サーバ、３，３ａ〜３ｄ  クライアント装置、１１  ＭＦＰの制御部、１２  ＭＦＰの操作部、１３  ＭＦＰのＲＯＭ、１４  ＭＦＰの通信Ｉ／Ｆ、１５  ＭＦＰのＲＡＭ、１６  画像入力部、１７  画像形成部、１８  ＭＦＰの音声入力部、１９  記憶装置、２１  サーバの制御部、２２  サーバのＲＯＭ、２３  サーバのＲＡＭ、２４  通信Ｉ／Ｆ、２５  サーバの操作部、２６  サーバの音声入力部、２７  記憶装置、１９１  音声ファイル生成部、２７１  転送先判定部、２７２  音声ファイル変換部、２７３  声紋判定部、１２０１  タッチパネル、１２０２  テンキー、１２０３  ユーティリティキー、１２０４  設定確認キー、１２０５  ポーズキー、１２０６  コピーキー、１２０７ファックス／メールキー、１２０８  スキャンキー、１２０９  ＩＤキー、１２１０  割込みキー、１２１１  パネルリセットキー、１２１２  スタートキー、１２１３  ストップキー、１２１４  クリアキー。
【図１】
2004236069.tif 000003
【図２】
2004236069.tif 000004
【図３】
2004236069.tif 000005
【図４】
2004236069.tif 000006
【図５】
2004236069.tif 000007
【図６】
2004236069.tif 000008
【図７】
2004236069.tif 000009
【図８】
2004236069.tif 000010